(57)【要約】【課題】高い気密性と断熱性を備えた上げ下げ窓を提供する。  【解決手段】上げ下げ窓１は、建物開口部に設けた枠体２内の上部に設けた上障子３を固定保持し、下部に開閉可能な下障子４を納めた。下障子４の閉鎖状態で、下障子４は上障子３より屋内側に位置していて、下障子４の上下方向で上框１６は上障子３の下框１２と一部重複して配置されている。枠体２において、閉鎖状態の上障子３と下障子４との間に無目９を設けて枠体２に連結した。無目９は上障子３の下框１２の屋外側に設置した保持面９ａと上障子３の下側に延びるホロー部９ｂとで断面略Ｌ字状に形成し、ホロー部９ｂの屋内側に下障子４を設置した。保持面９ａに設けた下側第一パッキン２７で上障子３の下框１２を押圧して封止する。ホロー部９ｂに設けた上側第二パッキン３０で下障子４の上框１６を押圧して封止する。【選択図】図２
2017048631.tif 000002
【特許請求の範囲】
【請求項１】
建物開口部に設けた枠体内の一方に設けた固定障子と他方に設けていて移動可能な可動障子とを備えた上げ下げ窓であって、
前記可動障子の閉鎖状態で、前記可動障子は前記固定障子または固定パネルより屋内側に位置していて、前記可動障子の移動方向で前記固定障子と一部重複して配置されていることを特徴とする上げ下げ窓。
【請求項２】
前記枠体において前記固定障子と閉鎖状態の前記可動障子との間に設けていて前記固定障子の可動障子側の位置で屋内側に延びる中空部を備えた中間枠体を取り付け、
該中間枠体の中空部の屋内側に前記可動障子の上框を設けた請求項１に記載された上げ下げ窓。
【請求項３】
前記可動障子の回転軸は前記固定障子よりも室内側に設けられている請求項１または２に記載された上げ下げ窓。
【請求項４】
前記枠体に設けていて前記固定障子を封止する第一シール部材と、
前記枠体に設けていて前記可動障子を封止する第二シール部材とを備え、
前記第二シール部材は第一シール部材より屋内側に位置している請求項１から３のいずれか１項に記載された上げ下げ窓。
【請求項５】
互いに対向する前記枠体の縦枠と前記可動障子の縦框との一方に設けていて他方に当接して封止する封止材を備え、
前記可動障子の閉鎖状態で、前記可動障子の縦框と前記縦枠と前記封止材とで封止された第一空気層を形成した請求項１から４のいずれか１項に記載された上げ下げ窓。
【請求項６】
前記枠体の屋内外方向に延びる下枠を分断する部分に介在させて断熱するブリッジ材と、
前記ブリッジ材の屋内側に設けていて前記下枠と前記可動障子の下框との間に形成した第二空気層と
を設けた請求項１から５のいずれか１項に記載された上げ下げ窓。
【請求項７】
前記枠体において閉鎖状態の前記可動障子と前記固定障子との間に設けていて前記固定障子の可動障子側の位置で屋内側に延びる中空部を備えた中間枠体と、
前記中間枠体と前記固定障子の下框との間を封止する第一シール部材と、
前記中間枠体の中空部と前記可動障子の上框との間を封止する第二シール部材とを備え、
前記固定障子の下框と中間枠体と前記可動障子の上框とで封止された第三空気層を形成した請求項１から６のいずれか１項に記載された上げ下げ窓。
【発明の詳細な説明】
【技術分野】
【０００１】
本発明は、住宅やビル等の各種建物の開口部の枠体に取り付けられた上げ下げ窓に関する。
【背景技術】
【０００２】
従来、建物の開口部に取り付けた枠体内に上障子と下障子を収納して、上障子を固定保持し、下障子を上下動可能にして開口可能な上げ下げ窓が知られている。このような上げ下げ窓の一例として例えば特許文献１及び２に記載されたものが提案されている。
特許文献１に記載された上げ下げ窓は、枠体内に外障子と内障子とが見込み方向にずれて略平行に配設されており、外障子と内障子とがそれぞれ上下方向に上げ下げ可能に配設された引き違い窓とされている。
【０００３】
また、特許文献２に記載された上げ下げ窓は、枠体内の上部に上障子が固定状態で保持され、下部には下障子が縦枠に形成されたガイド溝に沿って下げ下げ可能に配設されている。下障子の昇降をガイドするガイド溝は傾斜部と直線部とを備えている。
閉鎖状態で下障子は上障子の下方で上障子と同一面内に並置されている。開口時には下障子をガイド溝の傾斜部に沿って屋内側に傾斜させて上障子から外した後、ガイド溝の直線部に沿って上方に引き上げて固定の上障子とほぼ平行な位置に上昇可能とされている。このような上げ下げ窓を本明細書ではフラット窓という。
フラット窓の上げ下げ窓では、閉鎖状態において、下障子に設けたガイド溝に沿って下障子の昇降をガイドする回転軸部は上障子及び下障子と同一面内に位置している。
【先行技術文献】
【特許文献】
【０００４】
【特許文献１】特開２０００−２４８８４３号公報
【特許文献２】特開２０１０−２１６１７０号公報
【発明の概要】
【発明が解決しようとする課題】
【０００５】
しかしながら、特許文献１に記載された引き違い式の上げ下げ窓は、閉鎖位置で上障子と下障子の召し合わせ部が屋内外方向に重なって配置しているため、召し合わせ部での上障子と下障子の框部同士の間に隙間が生じ易く、気密性が小さいという欠点があった。
【０００６】
また、特許文献２に記載されたフラット窓の上げ下げ窓は、閉鎖位置で上障子と下障子が同一面内に並置されているため、下枠のアルミ等の金属下枠が下障子のガラスパネルより屋内側に延びており、屋内側に延びる金属下枠が樹脂下枠でカバーされていたり、ブリッジ材を挟んで分断されていても、冷気が屋内側に伝わり易く高い断熱性が得られなかった。
【０００７】
本発明は、このような課題に鑑みてなされたものであって、高い気密性と断熱性を備えた上げ下げ窓を提供することを目的とする。  
【課題を解決するための手段】
【０００８】
本発明による上げ下げ窓は、建物開口部に設けた枠体内の一方に設けた固定障子と他方に設けていて移動可能な可動障子とを備えた上げ下げ窓であって、可動障子の閉鎖状態で、可動障子は固定障子または固定パネルより屋内側に位置していて、可動障子の移動方向で固定障子と一部重複して配置されていることを特徴とする。
本発明による上げ下げ窓は、固定障子と可動障子に保持したガラスパネルは断熱性が高く、枠体内に納めた固定障子または固定パネルに対して可動障子が屋内側に偏って配設されているため、冷気が下枠を伝達したとしてもガラスパネルによる断熱効果がフラット窓と比較して高く、しかも固定障子と可動障子は閉鎖状態で可動障子の移動方向で固定障子と一部重複して配置されているために、引き違い窓と比較して、召し合わせ部での固定障子と可動障子との間の気密性が高い。
【０００９】
また、枠体において閉鎖状態の可動障子と固定障子との間に設けていて固定障子の可動障子側の位置で屋内側に延びる中空部を備えた中間枠体を取り付け、中間枠体の中空部の屋内側に可動障子の上框を設けるようにしてもよい。
本発明による上げ下げ窓は、固定障子と可動障子の間に設けた中間枠体が固定障子から屋内側に延びる中空部を有しており、この中空部の屋内側に可動障子の上框を設けたため、可動障子は固定障子の屋内側にずれた位置に設置されることになる。
なお、可動障子の移動時には屋内側に小さな距離だけ倒して固定障子から外して、ガイド溝に沿って固定障子と略平行で重なる方向に開放作動させることが好ましい。
【００１０】
また、可動障子の回転軸は固定障子よりも室内側に設けられていてもよい。
固定障子よりも屋内側に可動障子の回転軸を設けることで可動障子の見込み方向への移動が小さくなり、開閉作動がスムーズになる。
【００１１】
また、枠体に設けていて固定障子を封止する第一シール部材と、枠体に設けていて可動障子を封止する第二シール部材とを備え、第二シール部材は第一シール部材より屋内側に位置していてもよい。
可動障子の閉鎖状態で、固定障子と可動障子は枠体に対して第一シール部材と第二シール部材によって封止状態で保持でき、しかも第二シール部材は第一シール部材より屋内側に位置しているため可動障子は固定障子より屋内側に位置している。
【００１２】
また、互いに対向する枠体の縦枠と可動障子の縦框との一方に設けていて他方に当接して封止する封止材を備え、可動障子の閉鎖状態で、可動障子の縦框と縦枠と封止材で封止された第一空気層を形成することが好ましい。
本発明による上げ下げ窓は、固定障子を保持した枠体に対して可動障子を屋内側に寄せて設置したため、縦枠と可動障子の縦框との隙間が小さく屋内外の通気性を低減できる。しかも、縦枠と縦框とを封止材で封止すると共に縦枠と縦框と封止材とで第一空気層を形成したため、断熱性と気密性が高い。
【００１３】
また、枠体の屋内外方向に延びる下枠を分断する部分に介在させて断熱するブリッジ材と、ブリッジ材の屋内側に設けていて下枠と可動障子の下框との間に形成した第二空気層とを設けることが好ましい。
本発明では、下枠にブリッジ材を設けることで冷気の伝達を断熱し、しかもブリッジ材の屋内側で下枠と可動障子の下框との間に第二空気層を設けることで屋内と屋外との断熱性と気密性を向上できる。
【００１４】
また、枠体において閉鎖状態の可動障子と固定障子との間に設けていて固定障子の可動障子側の位置で屋内側に延びる中空部を備えた中間枠体と、中間枠体と固定障子の下框との間を封止する第一シール部材と、中間枠体の中空部と可動障子の上框との間を封止する第二シール部材とを備え、固定障子の下框と中間枠体と可動障子の上框とで封止された第三空気層を形成することが好ましい。
本発明では、固定障子に対して可動障子が屋内側にずれていたとしても、第一及び第二シール部材を介して中間枠体と固定障子の下框と可動障子の上框との間に封止された第三空気層を設けたため、固定障子と可動障子との間の断熱性と気密性を向上できる。
【発明の効果】
【００１５】
本発明による上げ下げ窓によれば、閉鎖状態で固定障子と可動障子は気密性及び断熱性を高めることができる。
【図面の簡単な説明】
【００１６】
【図１】本発明の実施形態による上げ下げ窓の正面図である。
【図２】閉鎖状態にある上げ下げ窓を示すもので、図１に示す上げ下げ窓のＡ−Ａ線縦断面図である。
【図３】図２に示す下障子の部分の拡大図である。
【図４】図１に示す上げ下げ窓の下障子を示すＢ−Ｂ線水平断面図である。
【図５】図１に示す上げ下げ窓の上障子を示すＣ−Ｃ線水平断面図である。
【図６】上げ下げ窓の開放状態を示す要部水平断面図である。
【図７】上げ下げ窓における下障子を屋内側に倒した半開放状態を示す要部縦断面図である。
【図８】上げ下げ窓の下障子を開放させる工程を示す要部縦断面図である。
【発明を実施するための形態】
【００１７】
以下、本発明の実施形態による上げ下げ窓１について添付図面によって説明する。
図１乃至図８は本発明の実施形態による上げ下げ窓１を示すものである。
本実施形態による上げ下げ窓１は、屋外側に形成されたアルミ合金等の金属部分と屋内側に形成された樹脂部分からなる複合サッシで各部材が形成されている。図１に示すように建物の開口部に設置した四角形枠状の枠体２と枠体２内に収められた上障子３及び下障子４とを備えている。
枠体２は、上枠６、下枠７、左右の縦枠８からなっている。上障子３と下障子４の間には、左右の縦枠８に例えば金属製の無目９が連結されている。枠体２内の上障子３は固定障子として枠体２内に固定保持され、下障子４は可動障子として上下方向に昇降可能で開閉可能である。
【００１８】
また、左右の縦枠８内には上部に図示しないバランサーが設けられ、各バランサーから繰り出されるワイヤーの他端部は後述する下障子４の下框１７の両端に設けた回転軸部４２にそれぞれ係止されている。バランサー内にはワイヤーを巻き上げ方向に付勢する巻き上げばねが内蔵されており、下障子４の荷重とバランスして任意の高さ位置で下障子４を静止保持できる。
【００１９】
図１乃至図５において、本実施形態による上げ下げ窓１は、枠体２内に納められた上障子３に対して下障子４は部分的に屋内側にずれた位置に納められている。上障子３は上框１１、下框１２、左右の縦框１３によって四角形枠状に形成され、内部にパネルとして複層ガラス、例えばペアガラス１４がグレージングチャンネル１５を介して収納され、上障子３は枠体２に固定されている。
同様に、下障子４も上框１６、下框１７、左右の縦框１８によって四角形枠状に形成され、内部にパネルとして複層ガラス、例えばペアガラス１９がグレージングチャンネル２０を介して収納されている。上障子３のペアガラス１４に対して下障子４のペアガラス１９は屋内側にずれた位置に設置されており、水平方向だけでなく上下方向でも互いに重ならないことが好ましい。しかも、ペアガラス１４、１９からなるガラスパネルは枠体２や框体より断熱性が高く、冷気や熱気の屋内外への伝達を遮断できる。
なお、上障子３と下障子４はパネルとしてペアガラス１４、１９に代えてトリプルガラスや他の複層ガラスや単層ガラス等を収納していてもよい。
【００２０】
図２及び図８において、左右の縦枠８には下障子４の昇降をガイドするガイド溝２２が形成されている。ガイド溝２２は、下枠７の近傍部分から枠体２の屋内側に向けて例えば所定の傾斜角で傾斜して上方に延びる短い長さの傾斜溝２２ａと、傾斜溝２２ａの屋内側部分に連通して設けていて上障子３と略平行に上枠６方向に延びる直線溝２２ｂと、を有している。
しかも、ガイド溝２２の傾斜溝２２ａは固定保持された上障子３よりも屋内側にずれた位置に設置されているため、傾斜溝２２ａから直線溝２２ｂまでの見込み方向長さは上述した従来技術のフラット窓のガイド溝よりも短く設定されている。そのため、閉鎖状態にある下障子４の上框１６は上障子３の下框１２に水平方向で近接し、上下方向（下障子の移動方向）で部分的に重なるように配設されている。
【００２１】
図２に示す上げ下げ窓１の閉鎖状態において、枠体２における上枠６の屋内側を向く面に設けた受け部２４には第一シール部材として上側第一パッキン２５が嵌合保持されている。この上側第一パッキン２５に上障子３の上框１１の屋外側の面が押圧して封止状態を保持している。
また、枠体２の高さ方向の中間部に設けた無目９は左右の縦枠８に連結され、断面視で上側の保持面９ａと下側の中空部であるホロー部９ｂが断面略Ｌ字状に一体形成されている。無目９の保持面９ａの屋内側を向く面に設けた受け部２６に第一シール部材として下側第一パッキン２７が嵌合保持されている。この下側第一パッキン２７に上障子３の下框１２の屋外側の面が押圧して封止状態を保持している。
また、図５に示すように、左右の縦枠８にも受け部２８と第一シール部材としての側部第一パッキン３５がそれぞれ設置され、上障子３の屋外側の面を受けて封止状態を保持している。
【００２２】
また、図２及び図３において、無目９の屋内側に突出するホロー部９ｂの下部の面に設けた受け部２９には第二シール部材として上側第二パッキン３０が嵌合保持されている。上側第二パッキン３０に下障子４の上框１６の屋外側の面が押圧して封止状態を保持している。また、下枠７の屋内側を向く面に設けた受け部３１に第二シール部材として下側第二パッキン３２が嵌合保持されている。この下側第二パッキン３２に下障子４の下框１７の屋外側の面が押圧して封止状態を保持している。
【００２３】
また、図４に示すように、左右の縦枠８にも受け部３６と第二シール部材としての側部第二パッキン３７がそれぞれ設置され、下障子４の屋外側の面を受けて封止状態を保持している。
従って、図２及び図３に示すように、上障子３を封止する上側第一パッキン２５及び下側第一パッキン２７は略垂直方向に設置され、下障子４を封止する上側第二パッキン３０及び下側第二パッキン３２は上障子３の上側第一パッキン２５及び下側第一パッキン２７より屋内側にずれた位置で略垂直方向に設置されている。
【００２４】
また、図２及び図３に示す上障子３と下障子４の召し合わせ部Ｍにおいて、上障子３の下框１２は、下側第一パッキン２７を押圧する金属下框１２ａと屋内側に連結した樹脂下框１２ｂとで形成されている。一方、下障子４の上框１６は、上側第二パッキン３０を押圧する金属上框１６ａとその屋内側に連結した複数のホロー部で形成された樹脂上框１６ｂとを備えている。しかも、樹脂上框１６ｂは屋内側から略Ｌ字状をなすように上方と屋外側に延びていて、その先端面に設けた軟質樹脂や弾性部材等からなるヒレ部３８が上障子３の樹脂下框１２ｂに当接して封止している。
従って、この召し合わせ部Ｍにおいて、上障子３の下框１２と下障子４の上框１６と無目９とが下側第一パッキン２７と上側第二パッキン３０とヒレ部３８によって閉鎖空間の空気層３９を形成している。しかも、下障子４の上框１６は上障子３の下框１２と上下方向に一部重なっており、高い気密性と断熱性を備えている。
【００２５】
また、図３に示す枠体２の下枠７と下障子４の下框１７において、下枠７は屋外側から屋内側に延びるアルミ製の金属下枠７ａとその上部で屋内側に設けた樹脂下枠７ｂとが連結されている。金属下枠７ａは屋外側部分と屋内側部分とに分離されていてその間に断熱材であるブリッジ材４１が連結されている。ブリッジ材４１は金属下枠７ａよりも熱伝導率の低い樹脂やウレタン等からなっている。
また、下障子４の下框１７は屋外側に設けた金属下框１７ａと屋内側に設けた樹脂下框１７ｂが連結されている。下框１７の下方両側には外側に突出している回転軸部４２がそれぞれ固定されており、各回転軸部４２は左右の縦枠８に形成されたガイド溝２２に沿って下障子４を昇降作動させるようになっている。樹脂下框１７ｂは金属下框１７ａに連結するぺアガラス１９の下方で複数のホロー部を形成すると共に、屋内側に延びた部分には下障子４を昇降作動させる際に把持する樹脂製の引手部４３が形成されている。
【００２６】
また、下枠７の樹脂下枠７ｂは樹脂下框１７ｂの下側に対向配置され、複数のホロー部を形成していると共に屋内側の側部には、樹脂下框１７ｂのホロー部方向に延びる略Ｌ字状で軟質樹脂や弾性部材等からなる下枠ヒレ部４４が形成されている。
この下枠ヒレ部４４は樹脂下框１７ｂのホロー部と接触するか、わずかに離れた形状を有しており、樹脂下框１７ｂと樹脂下枠７ｂと下枠ヒレ部４４とによって閉鎖空間またはこれに近い構成の空気層４５を形成している。この空気層４５はブリッジ材４１の屋内側に形成されていてブリッジ材４１と共に下枠７と下障子４の下框１７の領域を屋内側と屋外側とで断熱している。
【００２７】
しかも、閉鎖状態の下障子４は上障子３の下框１２と垂直方向に部分的に重なると共に上障子３よりも屋内側に偏って配設されているため、樹脂下框１７ｂと樹脂下枠７ｂ及び下枠ヒレ部４４との水平方向の距離は従来のフラット窓の上げ下げ窓よりも短く設定されている。そのため、下枠７と下障子４の下框１７とにおいて、屋外側は金属下枠７ａと金属下框１７ａが屋外側の下側第二パッキン３２で封止され、屋内側では樹脂下框１７ｂと樹脂下枠７ｂとが下枠ヒレ部４４で空気層４５として封止されているか、またはわずかな隙間を有しているにすぎないため、気密性と断熱性が高い。
【００２８】
また、図５において、枠体２の左右の縦枠８はそれぞれ屋外側の金属縦枠８ａの屋内側に樹脂縦枠８ｂが連結されている。閉鎖状態で固定された上障子３の左右の縦框１３も屋外側の金属縦框１３ａに屋内側の樹脂縦框１３ｂが連結されている。両側の樹脂縦框１３ｂに所定間隔を開けて固定した封止材としての例えば２組のモヘア等の繊維材４７ａが樹脂縦枠８ｂに当接していることで、樹脂縦框１３ｂと樹脂縦枠８ｂとの間に閉鎖した上部空気層４８を形成している。
また、図４に示す閉鎖状態の下障子４において、左右の縦框１８には屋外側の金属縦框１８ａに屋内側の樹脂縦框１８ｂが連結されている。樹脂縦框１８ｂには所定間隔を開けて固定した２組の繊維材４７ｂが封止材として縦枠８の樹脂縦枠８ｂに当接していることで、樹脂縦框１３ｂと樹脂縦枠８ｂとの間に閉鎖した空気層４９を形成している。これによって、下障子４はその閉鎖位置で、空気層４９によって屋外側と屋内側とを断熱している。
【００２９】
しかも、本実施形態による上げ下げ窓１では、下障子４が上障子３よりも屋内側にずれた位置に保持されることで、縦框１８と縦枠８の屋内側端部との隙間が小さくなり、空気層４９による断熱効果を一層高めている。
なお、上述した空気層４９は、繊維材４７ｂが左右の縦枠８の樹脂縦枠８ｂにおける例えばガイド溝２２を形成する両側端部に当接することで仕切られているが、他の部分に当接していてもよい。また、空気層４９や上部空気層４８を仕切る封止材としてモヘア等の繊維材４７ｂ、４７ａに代えてパッキン等の弾性部材を用いてよい。
【００３０】
また、図４及び図６において、下障子４の両側の縦框１８の上部からラッチ部材５１が突出していて、閉鎖状態ではガイド溝２２から屋外側にずれた位置にあり、図６に示すように下障子４の開閉作動時には下障子４を屋内側に小さく倒すことで、回転軸部４２と共にガイド溝２２に沿って昇降するようになっている。
なお、図２において、無目９と下枠７との間には網戸５３が設置されている。
【００３１】
本実施形態による上げ下げ窓１は上述の構成を備えており、次にその作用を説明する。
図１乃至図４に示すように下障子４が閉鎖状態にある場合には、枠体２内で上障子３の下框１２に対して下障子４の上框１６が屋内側にずれた重複位置に設置され、下障子４のペアガラス１９によってその屋内側への冷気や熱気の伝達が断熱されている。
この状態で、上障子３は上側第一パッキン２５及び下側第一パッキン２７で上枠６及び無目９と封止されており、下障子４は上側第二パッキン３０及び下側第二パッキン３２で無目９及び下枠７と封止されている。
また、下障子４の室外側の同一面に上側第二パッキン３０及び下側第二パッキン３２を配置し、また上側第二パッキン３０及び下側第二パッキン３２は縦枠８に配置される側部第二パッキン３７と突き当たるように配置されているため、下障子４の室外側の四周で気密を取ることができて高い気密性を保持できる。
しかも、上障子３の下框１２と下障子４の上框１６と無目９との間には下側第一パッキン２７と上側第二パッキン３０によって封止された空気層３９が形成されている。更に、縦枠８と下障子４の縦框１８との間に繊維材４７ｂによって空気層４９が形成され、下障子４の下框１７と下枠７との間には下枠７のブリッジ材４１より屋内側に設けた空気層４５が形成されているため、高い気密性と断熱性を保持している。
【００３２】
この状態から、下障子４を開口作動するには、上框１６の両側に設けた図示しないロック装置を外し、下障子４の引手部４３を操作者が把持して屋内側に引く。すると、図７に示すように、下障子４は、ガイド溝２２の傾斜溝２２ａの下端部に位置する回転軸部４２を中心に見込み方向屋内側にわずかに回動して傾斜し、下障子４は上框１６が上障子３の下框１２及び無目９から離間すると共に、ラッチ部材５１がガイド溝２２の直線溝２２ｂに係合する。
その際、下障子４は上障子３に対して屋内側にずれて設置されているから、その傾斜角度は小さい。この状態で、下障子４は図７に示すように傾斜状態に保持され、半開状態になる。
【００３３】
そして、図６及び図８に示すように、操作者が引手部４３を手で持ち上げて下障子４をガイド溝２２に沿って上昇させると、下障子４は下框１７に固定した回転軸部４２がガイド溝２２の傾斜溝２２ａと直線溝２２ｂに沿って上昇し、ラッチ部材５１も直線溝２２ｂに沿って上昇する。下障子４は上障子３の屋内側を干渉することなく上昇して上障子３と平行に保持された全開位置に至る。
なお、下障子４は、回転軸部４２を引き上げるワイヤーの上端を連結したバランサー内の巻き上げばねの付勢力によって任意の開口位置で停止する。
【００３４】
次に全開状態の下障子４を閉鎖させるには、下障子４がガイド溝２２の直線溝２２ｂで上障子３と平行に保持された位置から、操作者が引手部４３を把持してガイド溝２２に沿って下障子４を降下させる。
そして、下障子４は回転軸部４２が傾斜溝２２ａの下端に到達して傾斜状態となった半開位置に至る。次いで、回転軸部４２を支点として下障子４を見込み方向屋外側、即ち上障子３の方向に回動させることでラッチ部材５１をコイルばねの付勢力に抗してガイド溝２２から後退させて外し、下障子４の上框１６の樹脂上框１６ｂに設けたヒレ部３８を上障子３の下框１２に当接させ、上框１６を無目９に設けた上側第二パッキン３０に押圧させ、下框１７を下枠７に設けた下側第二パッキン３２に押圧させる。そして、図示しないロック部材で下障子４を枠体２にロックする。
【００３５】
上述のように本実施形態による上げ下げ窓１によれば、次の作用効果を奏する。
枠体２内に固定した上障子３に対して下障子４の一部を屋内側にずらせて納めたので、下障子４の開放作動時の傾斜角度が小さく、枠体２の左右の縦枠８及び縦框１８の隙間と下枠７及び下框１７の隙間とが小さくなるため、屋外側と屋内側との間の断熱性能が向上する。
しかも、下障子４が上障子３より屋内側に寄って位置することで、下障子４で保持するペアガラス１９によって断熱性が高くなる。
また、無目９の保持面９ａに設けた下側第一パッキン２７に上障子３の下框１２を押圧させて封止し、無目９の屋内側のホロー部９ｂに設けた上側第二パッキン３０を介して下障子４の上框１６を押圧させて封止し、更に上框１６の屋内側の樹脂上框１６ｂをヒレ部３８を介して上障子３の下框１２に当接させ、これらの間に空気層３９を封止したので、上障子３と下障子４とを屋内外方向に部分的にずらして設置しても気密性と断熱性が高い。
【００３６】
しかも、下障子４の閉鎖状態で、上障子３の下框１２と下障子４の上框１６と無目９との間の空気層３９、左右の縦枠と縦框１８との間の空気層４９、下枠７と下枠ヒレ部４４と下框１７との間の空気層４５をそれぞれ形成したため、屋外側と屋内側との連通が阻止されていてこの点でも気密性と断熱性が高い。
更に下枠７の金属下枠７ａをブリッジ材４１で分断して断熱し、ブリッジ材４１の屋内側においてホロー部を設けた樹脂下枠７ｂ及び下枠ヒレ部４４と樹脂下框１７ｂとの間に閉鎖空間として空気層４５を形成したので、屋外側の熱が屋内側に伝達されることを防止できて断熱性が高い。
また、下障子４の回転軸部４２は上障子３よりも屋内側に設置されているため、可動障子４の開閉に際して下障子４の見込み方向への回動角度や移動距離が小さくなり、下障子４の開閉動作がスムーズになる。
【００３７】
なお、本発明による上げ下げ窓１は、上述した実施形態に限定されるものではなく、本発明の要旨を逸脱しない範囲で適宜の変更や置換等が可能である。以下に、本発明の変形例等について説明するが、上述した実施形態で説明した部品や部材等と同一または同様なものについては同一の符号を用いて説明を省略する。
【００３８】
例えば、上述した実施形態による上げ下げ窓１では、枠体２の左右の縦枠８と下障子４の左右の縦框１８を対向して設け、樹脂縦框１８ｂに封止材として２組の繊維材４７ｂを設けて閉鎖状態で縦枠８に当接させて封止された空気層４９を形成したが、これに代えて縦枠８の樹脂縦枠８ｂに繊維材４７ｂを固定して樹脂縦框１８ｂに当接させてもよい。
なお、空気層４９は第一空気層であり、空気層４５は第二空気層、空気層３９は第三空気層である。また、上側第一パッキン２５と下側第一パッキン２７は第一シール部材に含まれ、上側第二パッキン３０と下側第二パッキン３２は第二シール部材に含まれる。
【００３９】
なお、本発明による上げ下げ窓１において、閉鎖状態で下障子４が上障子３より屋内側に寄って位置しているとは、上障子３に対して下障子４が上述したフラット窓の同一平面内よりも見込み方向にずれていると共に上述の引き違い窓よりも見込み方向に近接した位置であって、閉鎖状態の下障子４の上框１６が上障子３の下框１２と上下方向に部分的に重複する構成をいう。しかも、上障子３のペアガラス１４と下障子４のペアガラス１９が上下方向に重ならない範囲が好ましいが、複層ガラスである場合には一部重なっていてもよい。
【００４０】
また、上述した実施形態において、上げ下げ窓１の固定保持された上障子３に代えて、枠体にガラスパネルを取り付けたＦＩＸ窓を取り付けてもよい。このＦＩＸ窓は固定パネルに含まれる。
また、本発明による建具としての上げ下げ窓１は、枠体２内の上障子３を固定障子とし、下障子４を可動障子としたが、これとは逆に固定障子を枠体２内の下側に可動障子を上側に配置して上下方向を逆にして設定してもよい。或いは、横方向に固定障子と可動障子を配列してもよい。
そのため、枠体２内に納めた固定障子と可動障子の間に設けた部材は実施形態で用いた無目９を含めて中間枠体を構成し、中間枠体は枠体２の一部を構成する。
【符号の説明】
【００４１】
１  上げ下げ窓
２  枠体
３  上障子
４  下障子
７  下枠
８  縦枠
９  無目
１１、１６  上框
１２，１７  下框
１３  縦框
２２  ガイド溝
２５  上側第一パッキン
２７  下側第一パッキン
３０  上側第二パッキン
３２  下側第二パッキン
３８  ヒレ部
３９、４５，４９  空気層
４１  ブリッジ材
４２  回転軸部
４４  下枠ヒレ部
４７、４７ａ、４７ｂ  繊維材
【図１】
2017048631.tif 000003
【図２】
2017048631.tif 000004
【図３】
2017048631.tif 000005
【図４】
2017048631.tif 000006
【図５】
2017048631.tif 000007
【図６】
2017048631.tif 000008
【図７】
2017048631.tif 000009
【図８】
2017048631.tif 000010